【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
コンテンツを購読する方法であって、
第１のクライアントにおいて、
第１のユーザに、第１のコンテンツフィードのセットと、第２のユーザによってタグが付けられた１つ又は複数のコンテンツ項目とを含むコンテンツフィードグループを購読させるステップであって、前記タグが付けられた１つ又は複数のコンテンツ項目は、前記コンテンツフィードグループ内に無い少なくとも１つのコンテンツフィードから選択されるステップ、
前記第１のユーザに、前記コンテンツフィードグループからの第１の複数のコンテンツ項目をユーザインターフェース上の単一ビュー内で一斉に提示するステップであって、前記コンテンツフィードグループは、前記第１のコンテンツフィードのセットからの複数の個別コンテンツ項目と、前記コンテンツフィードグループ内に無い少なくとも１つのコンテンツフィードから選択され、前記第２のユーザによってタグが付けられた１つ又は複数のコンテンツ項目の個別コンテンツ項目とを含むステップ、及び
第２のクライアントにおいて前記第２のユーザにより行われる前記コンテンツフィードグループに対するタグ付けの変更後、前記タグ付けの変更に従って、前記第１のユーザに、前記変更されたコンテンツフィードグループからの第２の複数のコンテンツ項目を一斉に提示するステップ、
を含む方法。
【請求項２】
前記第１の複数のコンテンツ項目は、１つ又は複数の前記第１のコンテンツフィードのセットからのコンテンツ項目を含む、請求項１に記載の方法。
【請求項３】
前記第２の複数のコンテンツ項目を提示するステップが、前記変更されたコンテンツフィードグループの変更されたコンテンツフィードのセットに含まれる複数の個別コンテンツ項目を提示するステップを含む、請求項１に記載の方法。
【請求項４】
前記第２のユーザにより行われる前記コンテンツフィードグループに対するタグ付けの変更は、前記コンテンツフィードグループ内に無い少なくとも１つのコンテンツフィードから、１つ又は複数の異なるコンテンツ項目を前記コンテンツフィードグループに追加することを含む、請求項１に記載の方法。
【請求項５】
コンテンツを購読するためのクライアントシステムであって、
メモリ、
１つ又は複数のプロセッサ、及び
前記メモリに格納されるとともに前記１つ又は複数のプロセッサによる実行用に構成される１つ又は複数のモジュールであって、
第１のユーザに、第１のコンテンツフィードのセットと、第２のユーザによってタグが付けられた１つ又は複数のコンテンツ項目とを含むコンテンツフィードグループを購読させるための命令であって、前記タグが付けられた１つ又は複数のコンテンツ項目は、前記コンテンツフィードグループ内に無い少なくとも１つのコンテンツフィードから選択される命令、
前記第１のユーザに、前記コンテンツフィードグループからの第１の複数のコンテンツ項目をユーザインターフェース上の単一ビュー内で一斉に提示するための命令であって、前記コンテンツフィードグループは、前記第１のコンテンツフィードのセットからの複数の個別コンテンツ項目と、前記コンテンツフィードグループ内に無い少なくとも１つのコンテンツフィードから選択され、前記第２のユーザによってタグが付けられた１つ又は複数のコンテンツ項目の個別コンテンツ項目とを含む命令、
第２のクライアントにおいて前記第２のユーザにより行わる前記コンテンツフィードグループに対するタグ付けの変更後、該タグ付けの変更に従って、前記第１のユーザに、前記変更されたコンテンツフィードグループからの第２の複数のコンテンツ項目を一斉に提示する命令、
を含むモジュール、
を含むシステム。
【請求項６】
前記第１の複数のコンテンツ項目は、１つ又は複数の前記第１のコンテンツフィードのセットからのコンテンツ項目を含む、請求項５に記載のシステム。
【請求項７】
前記変更されたコンテンツフィードグループの変更されたコンテンツフィードのセットに含まれる複数の個別コンテンツ項目を提示するための命令を含む、請求項５に記載のシステム。
【請求項８】
前記コンテンツフィードグループに対する変更は、前記コンテンツフィードグループ内に無い少なくとも１つのコンテンツフィードから、１つ又は複数の異なるコンテンツ項目を前記コンテンツフィードグループに追加することを含む、請求項５に記載のシステム。
【請求項９】
１つ又は複数のプログラムを格納するコンピュータ可読記憶媒体であって、前記１つ又は複数のプログラムが、
第１のユーザに、第１のコンテンツフィードのセットと、第２のユーザによってタグが付けられた１つ又は複数のコンテンツ項目とを含むコンテンツフィードグループを購読させるための命令であって、前記タグが付けられた１つ又は複数のコンテンツ項目は、前記コンテンツフィードグループ内に無い少なくとも１つのコンテンツフィードから選択される命令、
前記第１のユーザに、前記コンテンツフィードグループからの第１の複数のコンテンツ項目をユーザインターフェース上の単一ビュー内で一斉に提示するための命令であって、前記コンテンツフィードグループは、前記第１のコンテンツフィードのセットからの複数の個別コンテンツ項目と、前記コンテンツフィードグループ内に無い少なくとも１つのコンテンツフィードから選択され、前記第２のユーザによってタグが付けられた１つ又は複数のコンテンツ項目の個別コンテンツ項目とを含む命令、及び
第２のクライアントにおいて前記第２のユーザにより行わる前記コンテンツフィードグループに対するタグ付けの変更後、該タグ付けの変更に従って、前記ユーザに、前記変更されたコンテンツフィードグループからの第２の複数のコンテンツ項目を一斉に提示する命令であって、前記変更は、前記コンテンツフィードグループ内に無い少なくとも１つのコンテンツフィードから、１つ又は複数の異なるコンテンツ項目を前記コンテンツフィードグループに追加することを含む命令、
を含む、コンピュータ可読記憶媒体。
【請求項１０】
前記第１の複数のコンテンツ項目を提示することは、前記コンテンツフィードグループの前記コンテンツフィードのセットに含まれる複数の個別コンテンツ項目を提示することを含み、前記第１の複数のコンテンツ項目は、１つ又は複数の前記第１のコンテンツフィードのセットからのコンテンツ項目を含む、請求項９に記載のコンピュータ可読記憶媒体。
【請求項１１】
前記第２の複数のコンテンツ項目を提示することは、前記変更されたコンテンツフィードグループの変更されたコンテンツフィードのセットに含まれる複数の個別コンテンツ項目を提示することを含む、請求項９に記載のコンピュータ可読記憶媒体。
【請求項１２】
前記コンテンツフィードグループに対する変更は、前記コンテンツフィードグループ内に無い少なくとも１つのコンテンツフィードから、１つ又は複数の異なるコンテンツ項目を前記コンテンツフィードグループに追加することを含む、請求項９に記載のコンピュータ可読記憶媒体。
【請求項１３】
コンテンツを購読するためのクライアントシステムであって、
第１のユーザに、第１のコンテンツフィードのセットと、第２のユーザによってタグが付けられた１つ又は複数のコンテンツ項目とを含むコンテンツフィードグループを購読させる手段であって、前記タグが付けられた１つ又は複数のコンテンツ項目は、前記コンテンツフィードグループ内に無い少なくとも１つのコンテンツフィードから選択される手段と、
前記第１のユーザに、前記コンテンツフィードグループからの第１の複数のコンテンツ項目をユーザインターフェース上の単一ビュー内で一斉に提示する手段であって、前記コンテンツフィードグループは、前記第１のコンテンツフィードのセットからの複数の個別コンテンツ項目と、前記コンテンツフィードグループ内に無い少なくとも１つのコンテンツフィードから選択され、前記第２のユーザによってタグが付けられた１つ又は複数のコンテンツ項目の個別コンテンツ項目とを含む手段と、
第２のクライアントにおいて前記第２のユーザにより行われる前記コンテンツフィードグループに対するタグ付けの変更後、前記変更されたコンテンツフィードグループに従って、前記第１のユーザに第２の複数のコンテンツ項目を一斉に提示する手段と、
を備えるクライアントシステム。
【請求項１４】
前記コンテンツフィードグループに対する変更は、前記コンテンツフィードグループ内に無い少なくとも１つのコンテンツフィードから、１つ又は複数の異なるコンテンツ項目を前記コンテンツフィードグループに追加することを含む、請求項１３に記載のクライアントシステム。
【請求項１５】
前記タグ付けの変更は、前記コンテンツフィードグループへの新たなコンテンツ項目の追加を含み、
前記第１のユーザに提示される前記第２の複数のコンテンツ項目は、前記新たなコンテンツ項目を含む、請求項１に記載の方法。
【請求項１６】
前記タグ付けの変更は、前記コンテンツフィードグループからの個別コンテンツ項目からタグを除外することを含み、
前記第１のユーザに提示される前記第２の複数のコンテンツ項目は、前記タグ付けの変更によって除外された個別コンテンツ項目を除外する、請求項１に記載の方法。
【請求項１７】
前記タグ付けの変更は、前記コンテンツフィードグループからの個別コンテンツ項目からタグを除外することを含み、
前記第１のユーザに提示される前記第２の複数のコンテンツ項目は、前記タグ付けの変更によって除外された個別コンテンツ項目を除外する、請求項５に記載のシステム。
【請求項１８】
前記タグ付けの変更は、前記コンテンツフィードグループからの個別コンテンツ項目からタグを除外することを含み、
前記第１のユーザに提示される前記第２の複数のコンテンツ項目は、前記タグ付けの変更によって除外された個別コンテンツ項目を除外する、請求項９に記載のコンピュータ可読記憶媒体。
【請求項１９】
前記コンテンツフィードグループは、ルールに従って自動的にタグが付けられた１つ又は複数のコンテンツ項目をさらに含み、前記ルールに従って自動的にタグが付けられた前記１つ又は複数のコンテンツ項目は、前記コンテンツフィードグループ内に無い少なくとも１つのコンテンツフィードから選択される、請求項１に記載の方法。
【請求項２０】
前記コンテンツフィードグループは、ルールに従って自動的にタグが付けられた１つ又は複数のコンテンツ項目をさらに含み、前記ルールに従って自動的にタグが付けられた前記１つ又は複数のコンテンツ項目は、前記コンテンツフィードグループ内に無い少なくとも１つのコンテンツフィードから選択される、請求項５に記載のシステム。
【請求項２１】
前記コンテンツフィードグループは、ルールに従って自動的にタグが付けられた１つ又は複数のコンテンツ項目をさらに含み、前記ルールに従って自動的にタグが付けられた前記１つ又は複数のコンテンツ項目は、前記コンテンツフィードグループ内に無い少なくとも１つのコンテンツフィードから選択される、請求項９に記載のコンピュータ可読記憶媒体。